(57)【要約】【課題】露光ヘッドを備えるドロワユニットに対して、露光ヘッドを避けて、ドラムカートリッジおよび現像カートリッジを装着できる画像形成装置を提供する。【解決手段】  画像形成装置１は、本体筐体２と、ドラムカートリッジ５Ｋと、現像カートリッジ６Ｋと、ドロワユニット４とを備える。ドロワユニット４は、ドロワフレーム４０と、露光ヘッド１３Ｋとを備える。ドラムカートリッジ５Ｋは、移動方向において、露光ヘッド１３Ｋに対して現像カートリッジ６Ｋの反対側から、ドロワユニット４に装着可能である。現像カートリッジ６Ｋは、移動方向において、露光ヘッド１３Ｋに対してドラムカートリッジ５Ｋの反対側から、ドロワユニット４に装着可能である。【選択図】図９
2019086729.tif 000002
【特許請求の範囲】
【請求項１】
本体筐体と、
第１感光ドラムを備える第１ドラムカートリッジと、
前記第１感光ドラムに供給されるトナーを収容可能な第１現像カートリッジと、
前記第１ドラムカートリッジおよび前記第１現像カートリッジが装着可能であり、前記本体筐体の内にある内部位置と前記本体筐体の外にある外部位置との間を移動方向に移動可能なドロワユニットであって、ドロワフレームと、前記第１感光ドラムを露光するための第１露光ヘッドとを備えるドロワユニットと、
を備え、
前記第１ドラムカートリッジは、前記移動方向において、前記第１露光ヘッドに対して前記第１現像カートリッジの反対側から、前記ドロワユニットに装着可能であり、
前記第１現像カートリッジは、前記移動方向において、前記第１露光ヘッドに対して前記第１ドラムカートリッジの反対側から、前記ドロワユニットに装着可能であることを特徴とする、画像形成装置。
【請求項２】
本体筐体と、
第１感光ドラムを備える第１ドラムカートリッジと、
前記第１感光ドラムに供給されるトナーを収容可能な第１現像カートリッジと、
前記第１ドラムカートリッジおよび前記第１現像カートリッジが装着可能であり、前記本体筐体の内にある内部位置と前記本体筐体の外にある外部位置との移動方向に移動可能なドロワユニットであって、ドロワフレームと、前記第１感光ドラムを露光するための第１露光ヘッドを備えるドロワユニットと、
を備え、
前記ドロワユニットは、前記第１ドラムカートリッジの装着をガイドする第１ドラムガイドと、前記第１現像カートリッジの装着をガイドする第１現像ガイドとを有し、
前記第１露光ヘッドは、前記移動方向において、前記第１ドラムガイドと前記第１現像ガイドとの間に位置することを特徴とする、画像形成装置。
【請求項３】
前記第１ドラムカートリッジは、前記第１感光ドラムの端部を受ける第１ドラム突起を有し、
前記第１ドラムガイドは、前記第１ドラムカートリッジが前記ドロワユニットに装着されるときに前記第１ドラム突起をガイドする第１ドラム突起ガイドであって、前記移動方向において前記第１露光ヘッドに対して前記第１現像ガイドの反対側に位置する第１部分と、前記第１露光ヘッドの下方に位置する第２部分であって、前記第１ドラムカートリッジが前記ドロワユニットに装着された状態で前記第１ドラム突起が嵌まる第２部分とを有する第１ドラム突起ガイドを有し、
前記第１露光ヘッドは、前記第１ドラムカートリッジが前記ドロワユニットに装着された状態で、前記第１感光ドラムよりも上方に位置することを特徴とする、請求項２に記載の画像形成装置。
【請求項４】
第２感光ドラムを備え、前記ドロワユニットに装着可能な第２ドラムカートリッジと、
前記第２感光ドラムに供給されるトナーを収容可能であり、前記ドロワユニットに装着可能な第２現像カートリッジと、をさらに備え、
前記ドロワユニットは、前記第２感光ドラムを露光するための第２露光ヘッドを備え、
前記ドロワユニットは、前記第２ドラムカートリッジの装着をガイドする第２ドラムガイドと、前記第２現像カートリッジの装着をガイドする第２現像ガイドとを有し、
前記第２ドラムガイドは、前記移動方向において、前記第１現像ガイドと前記第２露光ヘッドとの間に位置し、
前記第２露光ヘッドは、前記移動方向において、前記第２ドラムガイドと第２現像ガイドとの間に位置することを特徴とする、請求項２または請求項３に記載の画像形成装置。
【請求項５】
第２感光ドラムを備え、前記ドロワユニットに装着可能な第２ドラムカートリッジと、
前記第２感光ドラムに供給されるトナーを収容可能であり、前記ドロワユニットに装着可能な第２現像カートリッジと、をさらに備え、
前記ドロワユニットは、前記第２感光ドラムを露光するための第２露光ヘッドを備え、
前記第１現像ガイドは、
前記ドロワユニットに対する前記第１現像カートリッジの装着、および、前記ドロワユニットに対する前記第２ドラムカートリッジの装着をガイドする第１ガイド部と、
前記第１ガイド部から延び、前記ドロワユニットに対する前記第１現像カートリッジの装着をガイドする第２ガイド部と、
前記第１ガイド部から、前記移動方向において前記第２ガイド部とは反対側に延び、前記ドロワユニットに対する前記第２ドラムカートリッジの装着をガイドする第３ガイド部と、
を有することを特徴とする、請求項２または請求項３に記載の画像形成装置。
【請求項６】
前記第１現像カートリッジは、前記第１現像カートリッジが前記ドロワユニットに装着されるときに前記第２ガイド部に嵌まる現像突起を有し、
前記第２ドラムカートリッジは、第１ドラム突起と、第２ドラム突起とを有し、
前記第３ガイド部は、前記第２ドラムカートリッジが前記ドロワユニットに装着されるときに前記第１ドラム突起をガイドする第１ドラム突起ガイドと、前記第２ドラムカートリッジが前記ドロワユニットに装着されるときに前記第２ドラム突起をガイドする第２ドラム突起ガイドとを有し、
前記第１ドラム突起の幅は、前記第２ガイド部の幅よりも大きいことを特徴とする、請求項５に記載の画像形成装置。
【請求項７】
前記現像突起の幅は、前記第２ドラム突起ガイドの幅よりも大きいことを特徴とする、請求項６に記載の画像形成装置。
【請求項８】
前記第２ドラムカートリッジは、前記第２ドラム突起を支える支持台を有し、
前記支持台は、前記第２ガイド部の幅よりも大きいことを特徴とする、請求項７に記載の画像形成装置。
【請求項９】
前記第１ガイド部、前記第２ガイド部、および、前記第２ドラム突起ガイドは、第１の深さを有する溝であり、
前記第１ドラム突起ガイドは、前記第１の深さよりも浅い第２の深さを有する溝であることを特徴とする、請求項６から請求項８のいずれか一項に記載の画像形成装置。
【請求項１０】
前記第１ガイド部、前記第２ガイド部、および、前記第２ドラム突起ガイドは、貫通穴であり、
前記第１ドラム突起ガイドは、凹部であることを特徴とする、請求項９に記載の画像形成装置。
【請求項１１】
前記第１ドラムガイドは、前記第１ドラムカートリッジが前記ドロワユニットに装着された状態で、前記第１現像カートリッジから前記第１感光ドラムに加わる押圧力を受ける受け面であって、前記第１現像カートリッジに対して前記第１感光ドラムの反対側に位置する受け面を有することを特徴とする、請求項２に記載の画像形成装置。
【請求項１２】
前記第１露光ヘッドは、
前記第１ドラムカートリッジが前記ドロワユニットから離脱されているときに、前記ドロワユニットに対して移動可能であり、
前記第１ドラムカートリッジが前記ドロワユニットに装着されるときに、前記第１感光ドラムに対して固定されることを特徴とする、請求項１から請求項１１のいずれか一項に記載の画像形成装置。
【請求項１３】
前記第１露光ヘッドは、ボスを有し、
前記第１ドラムカートリッジは、前記第１ドラムカートリッジが前記ドロワユニットに装着されるときに前記ボスと接触する接触面であって、前記ボスと接触することにより、前記第１露光ヘッドを前記第１感光ドラムに対して位置決めする接触面を、有することを特徴とする、請求項１２に記載の画像形成装置。
【請求項１４】
前記第１感光ドラムは、端部にフランジを備え、
前記第１ドラムカートリッジは、前記第１感光ドラムの前記フランジを受けるフランジ受け部材を備え、
前記フランジ受け部材は、前記フランジを受ける位置と異なる位置に前記接触面を有することを特徴とする、請求項１３に記載の画像形成装置。
【請求項１５】
前記ボスは、円柱であることを特徴とする、請求項１３または請求項１４に記載の画像形成装置。
【請求項１６】
前記ドロワユニットは、前記第１ドラムカートリッジが前記ドロワユニットに装着された状態で、前記ボスが前記接触面に接触するように前記第１露光ヘッドを押圧する押圧部材を備えることを特徴とする、請求項１３から請求項１５のいずれか一項に記載の画像形成装置。
【請求項１７】
前記ドロワユニットは、
前記移動方向における一端部に位置する第１壁と、
前記移動方向における他端部に位置する第２壁と、を備え、
前記第１壁は、前記移動方向において、前記第２壁から離れる方向に移動可能であることを特徴とする、請求項１から請求項１６のいずれか一項に記載の画像形成装置。
【請求項１８】
前記第１壁の全部が移動可能であることを特徴とする、請求項１７に記載の画像形成装置。
【請求項１９】
前記第１壁の一部が移動可能であることを特徴とする、請求項１７に記載の画像形成装置。
【請求項２０】
前記第１壁は、前記第２壁から離れる方向に回動可能であることを特徴とする、請求項１７から請求項１９のいずれか一項に記載の画像形成装置。
【請求項２１】
前記ドロワユニットは、前記第１壁を前記第２壁から離れる方向に向かって押圧するバネを備えることを特徴とする、請求項１７から請求項２０のいずれか一項に記載の画像形成装置。
【請求項２２】
第２感光ドラムを備え、前記ドロワユニットに装着可能な第２ドラムカートリッジと、
前記第２感光ドラムに供給されるトナーを収容可能であり、前記ドロワユニットに装着可能な第２現像カートリッジと、をさらに備え、
前記第１現像カートリッジは、第１凹部を有し、
前記第２現像カートリッジは、第２凹部を有し、
前記第２ドラムカートリッジは、前記第１現像カートリッジが前記第１ドラムカートリッジと前記第２ドラムカートリッジとの間に装着されたときに、前記第１現像カートリッジの前記第１凹部に嵌まる第１突起であって、前記第２現像カートリッジが前記第１ドラムカートリッジと前記第２ドラムカートリッジとの間に装着されたときに、前記第２現像カートリッジの前記第２凹部に嵌まらない第１突起を有することを特徴とする、請求項１から請求項２１のいずれか一項に記載の画像形成装置。
【請求項２３】
前記第２ドラムカートリッジは、ハンドルを備え、
前記第１突起は、前記ハンドルの一部であることを特徴とする、請求項２２に記載の画像形成装置。
【請求項２４】
第３感光ドラムを備え、前記ドロワユニットに装着可能な第３ドラムカートリッジと、
前記第３感光ドラムに供給されるトナーを収容可能であり、前記ドロワユニットに装着可能な第３現像カートリッジと、をさらに備え、
前記第３現像カートリッジは、第３凹部を有し、
前記ドロワユニットは、前記第３現像カートリッジが前記第３ドラムカートリッジに対して前記第１ドラムカートリッジの反対側に装着されたときに、前記第３現像カートリッジの前記第３凹部に嵌まる第３突起であって、前記第１現像カートリッジが前記第３ドラムカートリッジに対して前記第１ドラムカートリッジの反対側に装着されたときに、前記第１現像カートリッジの前記第１凹部に嵌まらない第３突起を有することを特徴とする、請求項２２または請求項２３に記載の画像形成装置。
【請求項２５】
前記第１感光ドラムの径は、２０ｍｍ以上、２８ｍｍ未満であることを特徴とする、請求項１から請求項２４のいずれか一項に記載の画像形成装置。
【請求項２６】
前記第１ドラムカートリッジは、前記ドロワフレームが前記外部位置にあるときに前記ドロワフレームに装着された状態で、
前記第１感光ドラムに対して前記第１露光ヘッドが固定され、前記ドロワフレームからの離脱が不能である第１位置と、
前記第１感光ドラムに対して前記第１露光ヘッドの固定が解除され、前記ドロワフレームからの離脱が可能である第２位置と、
の間を回動可能であることを特徴とする、請求項１から請求項２５のいずれか一項に記載の画像形成装置。
【発明の詳細な説明】
【技術分野】
【０００１】
本発明は、画像形成装置に関する。
【背景技術】
【０００２】
従来、ドラムカートリッジと、現像カートリッジと、ドロワユニットとを備える画像形成装置が知られている。ドラムカートリッジは、感光ドラムを備える。現像カートリッジは、感光ドラムに供給されるトナーを収容する。ドロワユニットは、感光ドラムを露光するための露光ヘッドを備える（下記特許文献１参照）。
【先行技術文献】
【特許文献】
【０００３】
【特許文献１】特開２０１２−１４４０１９号公報
【発明の概要】
【発明が解決しようとする課題】
【０００４】
上記した特許文献１のように、露光ヘッドを備えるドロワユニットに対して、ドラムカートリッジおよび現像カートリッジを装着する場合、露光ヘッドを避けて、ドラムカートリッジおよび現像カートリッジを装着する必要がある。
【０００５】
そこで、本開示の目的は、露光ヘッドを備えるドロワユニットに対して、露光ヘッドを避けて、ドラムカートリッジおよび現像カートリッジを装着できる画像形成装置を提供することにある。
【課題を解決するための手段】
【０００６】
本発明の画像形成装置は、本体筐体と、第１ドラムカートリッジと、第１現像カートリッジと、ドロワユニットとを備える。第１ドラムカートリッジは、第１感光ドラムを備える。第１現像カートリッジは、第１感光ドラムに供給されるトナーを収容可能である。ドロワユニットには、第１ドラムカートリッジおよび第１現像カートリッジが装着可能である。ドロワユニットは、本体筐体の内にある内部位置と、本体筐体の外にある外部位置との間を、移動方向に移動可能である。ドロワユニットは、ドロワフレームと、第１露光ヘッドとを備える。第１露光ヘッドは、第１感光ドラムを露光する。
【０００７】
第１ドラムカートリッジは、移動方向において、第１露光ヘッドに対して第１現像カートリッジの反対側から、ドロワユニットに装着可能である。
【０００８】
第１現像カートリッジは、移動方向において、第１露光ヘッドに対して第１ドラムカートリッジの反対側から、ドロワユニットに装着可能である。
【０００９】
このような構成によれば、第１ドラムカートリッジを、第１露光ヘッドに対して第１現像カートリッジの反対側から、露光ヘッドを避けて、ドロワユニットに対して装着できる。また、第１現像カートリッジを、第１露光ヘッドに対して第１ドラムカートリッジの反対側から、露光ヘッドを避けて、ドロワユニットに対して装着できる。
【００１０】
その結果、露光ヘッドを備えるドロワユニットに対して、露光ヘッドを避けて、ドラムカートリッジおよび現像カートリッジを装着できる。
【発明の効果】
【００１１】
本発明の画像形成装置によれば、露光ヘッドを備えるドロワユニットに対して、露光ヘッドを避けて、ドラムカートリッジおよび現像カートリッジを装着できる。
【図面の簡単な説明】
【００１２】
【図１】図１は、画像形成装置の概略構成図である。
【図２】図２は、図１に示すドロワユニットが外部位置に位置した状態を示す。
【図３】図３Ａは、第１実施形態のドラムカートリッジの斜視図である。図３Ｂは、第１実施形態の現像カートリッジの斜視図である。
【図４】図４は、第１実施形態のドロワユニットの斜視図である。
【図５】図５は、図４に示すドロワユニットの側面図である。
【図６】図６は、図４に示すドロワユニットに対する、図３Ａに示すドラムカートリッジの装着を説明する説明図であって、第１ドラム突起が第１ドラム突起ガイドに嵌まり、第２ドラム突起が第２ドラム突起ガイドに嵌まった状態を示す。
【図７】図７は、図６に続き、第１ドラム突起が第１ドラム突起ガイドの第２部分に嵌まり、感光ドラムが露光ヘッドの下方に位置した状態を示す。
【図８】図８は、図７に続き、第２ドラム突起が第２ドラム突起ガイドの第３部分に嵌まり、ドロワユニットに対するドラムカートリッジの装着が完了した状態を示す。
【図９】図９は、図４に示すドロワユニットに対する、図３Ｂに示す現像カートリッジの装着を説明するための説明図である。
【図１０】図１０は、第２実施形態のドロワユニットの側面図である。
【図１１】図１１は、図１０に示すドロワユニットに対するドラムカートリッジおよび現像カートリッジの装着を説明するための説明図である。
【図１２】図１２は、第２実施形態のドラムカートリッジの斜視図である。
【図１３】図１３Ａは、ドロワユニットの第１ガイド部の深さ、および、第１ドラム突起ガイドの深さを説明するための説明図である。図１３Ｂは、ドロワユニットに対してドラムカートリッジが装着されるときに、ドラムカートリッジの支持台および第２ドラム突起が第２ガイド部に嵌まらないことを説明するための説明図である。
【図１４】図１４は、第３実施形態のドロワユニットの平面図である。
【図１５】図１５は、図１４のＡ−Ａ断面図である。
【図１６】図１６は、第３実施形態のドラムカートリッジの斜視図である。
【図１７】図１７Ａは、ドロワユニットに対するドラムカートリッジの装着を説明するための説明図であって、露光ヘッドのボスがドラムカートリッジの溝から外れている状態を示す。図１７Ｂは、図１７Ａに続き、露光ヘッドのボスがドラムカートリッジの溝に嵌まった状態を示す。
【図１８】図１８は、第３実施形態の変形例を説明するための説明図である。
【図１９】図１９Ａは、第４実施形態のドロワユニットを説明するための説明図であって、第１壁が第１位置に位置する状態を示す。図１９Ｂは、図１９Ａとともに第４実施形態のドロワユニットを説明するための説明図であって、第１壁が第２位置に位置する状態を示す。
【図２０】図２０Ａは、第５実施形態の現像カートリッジ（現像カートリッジ６Ｋ）の斜視図である。図２０Ｂは、図２０Ａに示す現像カートリッジとは別の現像カートリッジ（現像カートリッジ６Ｙ）の斜視図である。
【図２１】図２１は、第５実施形態のドロワユニットの斜視図であって、複数のドラムカートリッジが装着された状態を示す。
【図２２】図２２Ａは、現像カートリッジ６Ｋがドラムカートリッジ５Ｋとドラムカートリッジ５Ｙとの間に装着された場合であって、ドラムカートリッジ５Ｙの突起が現像カートリッジ６Ｋの凹部に嵌まった状態を示す。図２２Ｂは、現像カートリッジ６Ｙがドラムカートリッジ５Ｋとドラムカートリッジ５Ｙとの間に装着された場合であって、ドラムカートリッジ５Ｙの突起が現像カートリッジ６Ｙの凹部に嵌まらない状態を示す。
【図２３】図２３は、第５実施形態の変形例のドロワユニットの斜視図であって、複数のドラムカートリッジが装着された状態を示す。
【図２４】図２４は、第５実施形態の変形例の現像カートリッジ（現像カートリッジ６Ｃ）の斜視図である。
【発明を実施するための形態】
【００１３】
１．画像形成装置
図１および図２を参照して、画像形成装置について説明する。
【００１４】
図１に示すように、画像形成装置１は、本体筐体２と、給紙部３と、ドロワユニット４と、複数のドラムカートリッジ５Ｋ、５Ｙ、５Ｍ、５Ｃと、複数の現像カートリッジ６Ｋ、６Ｙ、６Ｍ、６Ｃと、ベルトユニット７と、定着器８とを備える。
【００１５】
１．１  本体筐体
本体筐体２は、画像形成装置１の外装を構成する。本体筐体２は、給紙部３と、ドロワユニット４と、複数のドラムカートリッジ５Ｋ、５Ｙ、５Ｍ、５Ｃと、複数の現像カートリッジ６Ｋ、６Ｙ、６Ｍ、６Ｃと、ベルトユニット７と、定着器８を収容する。本体筐体２は、開口２Ａを有する。開口２Ａは、ドロワユニット４が内部位置に位置する状態で、定着器８に対して、ドロワユニット４の反対側に位置する。内部位置については、後で説明する。また、本体筐体２は、カバー２Ｂを備える。カバー２Ｂは、開口２Ａを閉鎖する閉位置（図１参照）と、開口２Ａを開放する開位置（図２参照）との間を移動可能である。
【００１６】
１．２  給紙部
給紙部３は、感光ドラム１４Ｃに向かってシートＳを供給するように構成される。シートＳは、例えば、印刷用紙である。感光ドラム１４Ｃについては、後で説明する。給紙部３は、給紙トレイ９と、ピックアップローラ１０と、給紙ローラ１１とを備える。給紙トレイ９は、シートＳを収容するように構成される。ピックアップローラ１０は、給紙トレイ９内のシートＳを給紙ローラ１１に向かって搬送するように構成される。給紙ローラ１１は、ピックアップローラ１０からのシートＳを感光ドラム１４Ｃに向かって搬送するように構成される。
【００１７】
１．３  ドロワユニット
図２に示すように、ドロワユニット４は、カバー２Ｂが開位置に位置する状態で、開口２Ａを介して、内部位置（図１参照）と外部位置（図２参照）との間を移動可能である。内部位置は、ドロワユニット４が本体筐体２の内にあるときの、ドロワユニット４の位置である。外部位置は、ドロワユニット４が本体筐体２の外にあるときの、ドロワユニット４の位置である。ドロワユニット４が内部位置と外部位置との間を移動する方向を、移動方向と定義する。図１に示すように、ドロワユニット４は、複数の露光ヘッド１３Ｋ、１３Ｙ、１３Ｍ、１３Ｃとを備える。
【００１８】
複数の露光ヘッド１３Ｋ、１３Ｙ、１３Ｍ、１３Ｃは、移動方向において、互いに間隔を空けて並ぶ。複数の露光ヘッド１３Ｋ、１３Ｙ、１３Ｍ、１３Ｃは、複数のドラムカートリッジ５Ｋ、５Ｙ、５Ｍ、５Ｃがドロワユニット４に装着された状態で、複数の感光ドラム１４Ｋ、１４Ｙ、１４Ｍ、１４Ｃよりも上方に位置する。露光ヘッド１３Ｋは、感光ドラム１４Ｋを露光するように構成される。露光ヘッド１３Ｙは、感光ドラム１４Ｙを露光するように構成される。露光ヘッド１３Ｍは、感光ドラム１４Ｍを露光するように構成される。露光ヘッド１３Ｃは、感光ドラム１４Ｃを露光するように構成される。
【００１９】
１．４  複数のドラムカートリッジ
複数のドラムカートリッジ５Ｋ、５Ｙ、５Ｍ、５Ｃのそれぞれは、ドロワユニット４が外部位置（図２参照）に位置しているときに、ドロワユニット４に装着可能である。複数のドラムカートリッジ５Ｋ、５Ｙ、５Ｍ、５Ｃは、ドロワユニット４に装着された状態で、移動方向において、互いに間隔を隔てて並ぶ。
【００２０】
ドラムカートリッジ５Ｋは、感光ドラム１４Ｋと、帯電器１５Ｋとを備える。
【００２１】
感光ドラム１４Ｋは、ドラムカートリッジ５Ｋがドロワユニット４に装着された状態で、ドロワユニット４の幅方向（図４参照）に延びる回転軸線について回転可能である。ドロワユニット４の幅方向については、後述する。感光ドラム１４Ｋは、回転軸線に沿って延びる。感光ドラム１４Ｋは、円筒形状を有する。感光ドラム１４Ｋの径は、２０ｍｍ以上、２８ｍｍ未満である。
【００２２】
帯電器１５Ｋは、感光ドラム１４Ｋの周面を帯電するように構成される。帯電器１５Ｋが感光ドラム１４Ｋの周面を帯電した後、露光ヘッド１３Ｋが、帯電された感光ドラム１４Ｋの周面を露光することにより、感光ドラム１４Ｋの周面に静電潜像が形成される。帯電器１５Ｋは、ドラムカートリッジ５Ｋがドロワユニット４に装着された状態で、移動方向において、露光ヘッド１３Ｋに対して現像ローラ１６Ｋの反対側に位置する。現像ローラ１６Ｋについては、後で説明する。帯電器１５Ｋは、ドラムカートリッジ５Ｋがドロワユニット４に装着された状態で、感光ドラム１４Ｋの回転方向において、露光ヘッド１３Ｋに対して上流側に位置する。帯電器１５Ｋは、具体的には、帯電ローラである。なお、帯電器１５Ｋは、スコロトロン型の帯電器であってもよい。
【００２３】
なお、ドラムカートリッジ５Ｙは、感光ドラム１４Ｙと、帯電器１５Ｙとを備える。ドラムカートリッジ５Ｍは、感光ドラム１４Ｍと、帯電器１５Ｍとを備える。ドラムカートリッジ５Ｃは、感光ドラム１４Ｃと、帯電器１５Ｃとを備える。ドラムカートリッジ５Ｙ、５Ｍ、５Ｃのそれぞれは、ドラムカートリッジ５Ｋと同じ構造を有し、ドラムカートリッジ５Ｋと同様に説明される。そのため、ドラムカートリッジ５Ｙ、５Ｍ、５Ｃのそれぞれについての説明は、省略される。
【００２４】
１．５  複数の現像カートリッジ
複数の現像カートリッジ６Ｋ、６Ｙ、６Ｍ、６Ｃは、ドロワユニット４が外部位置（図２参照）に位置しているときに、ドロワユニット４に装着可能である。複数の現像カートリッジ６Ｋ、６Ｙ、６Ｍ、６Ｃは、ドロワユニット４に装着された状態で、移動方向において、互いに間隔を隔てて並ぶ。
【００２５】
現像カートリッジ６Ｋは、感光ドラム１４Ｋに供給されるトナーを収容可能である。現像カートリッジ６Ｋは、現像ローラ１６Ｋを備える。
【００２６】
現像ローラ１６Ｋは、現像カートリッジ６Ｋ内のトナーを感光ドラム１４Ｋに供給するように構成される。静電潜像が形成された感光ドラム１４Ｋに現像カートリッジ６Ｋ内のトナーが供給されることにより、静電潜像が現像され、感光ドラム１４Ｋの周面にトナー像が形成される。言い換えると、トナー像は、トナーが現像ローラ１６Ｋから感光ドラム１４Ｋに静電気的に移動することにより、感光ドラム１４Ｋに形成された静電潜像が現像され、感光ドラム１４Ｋの周面に形成される。現像ローラ１６Ｋの一部は、現像カートリッジ６Ｋの内部に収容される。現像ローラ１６Ｋは、ドラムカートリッジ５Ｋおよび現像カートリッジ６Ｋがドロワユニット４に装着された状態で、感光ドラム１４Ｋの回転方向において、露光ヘッド１３Ｋに対して下流側に位置する。現像ローラ１６Ｋは、ドラムカートリッジ５Ｋおよび現像カートリッジ６Ｋがドロワユニット４に装着された状態で、感光ドラム１４Ｋの周面に接触する。
【００２７】
なお、現像カートリッジ６Ｙは、感光ドラム１４Ｙに供給されるトナーを収容可能であり、現像ローラ１６Ｙを備える。現像カートリッジ６Ｍは、感光ドラム１４Ｍに供給されるトナーを収容可能であり、現像ローラ１６Ｍを備える。現像カートリッジ６Ｃは、感光ドラム１４Ｃに供給されるトナーを収容可能であり、現像ローラ１６Ｃを備える。現像カートリッジ６Ｙ、６Ｍ、６Ｃのそれぞれは、現像カートリッジ６Ｋと同じ構造を有し、現像カートリッジ６Ｋと同様に説明される。そのため、現像カートリッジ６Ｙ、６Ｍ、６Ｃのそれぞれについての説明は、省略される。
【００２８】
１．６  ベルトユニット
ベルトユニット７は、給紙部３から供給されたシートＳを定着器８に向かって搬送するとともに、複数の感光ドラム１４Ｋ、１４Ｙ、１４Ｍ、１４Ｃのそれぞれの周面に形成されたトナー像を、シートＳに転写するように構成される。ベルトユニット７は、ドライブローラ１７と、テンションローラ１８と、ベルト１９と、複数の転写ローラ２０Ｋ、２０Ｙ、２０Ｍ、２０Ｃとを備える。
【００２９】
ドライブローラ１７は、ベルト１９に駆動力を与える。ドライブローラ１７は、移動方向において、テンションローラ１８と定着器８との間に位置する。
【００３０】
テンションローラ１８は、ベルト１９に張力を与える。テンションローラ１８は、移動方向において、ドライブローラ１７に対して間隔を空ける。
【００３１】
ベルト１９は、給紙部３から供給されたシートＳを定着器８に向かって搬送する。ベルト１９は、エンドレスベルトである。ベルト１９は、ドライブローラ１７およびテンションローラ１８の周りに巻き付けられる。ベルト１９は、複数のドラムカートリッジ５Ｋ、５Ｙ、５Ｍ、５Ｃが装着されたドロワユニット４が内部位置に位置するときに、複数の感光ドラム１４Ｋ、１４Ｙ、１４Ｍ、１４Ｃと接触する。ベルト１９は、ドライブローラ１７およびテンションローラ１８の周りを移動可能である。ベルト１９は、複数の感光ドラム１４Ｋ、１４Ｙ、１４Ｍ、１４Ｃと、複数の転写ローラ２０Ｋ、２０Ｙ、２０Ｍ、２０Ｃとの間を通る。
【００３２】
複数の転写ローラ２０Ｋ、２０Ｙ、２０Ｍ、２０Ｃは、移動方向において、ドライブローラ１７とテンションローラ１８との間に位置する。転写ローラ２０Ｋは、ベルト１９によって搬送されるシートＳが感光ドラム１４Ｋと接触するときに、感光ドラム１４Ｋのトナー像を転写する。転写ローラ２０Ｋは、ドラムカートリッジ５Ｋが装着されたドロワユニット４が内部位置に位置するときに、感光ドラム１４Ｋの下方に位置する。なお、転写ローラ２０Ｙ、２０Ｍ、２０Ｃのそれぞれは、転写ローラ２０Ｋと同じ構造を有し、転写ローラ２０Ｋと同様に説明される。そのため、転写ローラ２０Ｙ、２０Ｍ、２０Ｃのそれぞれの説明は、省略される。
【００３３】
１．７  定着器
定着器８は、トナー像が転写されたシートＳを加熱および加圧して、シートＳにトナー像を定着させるように構成される。定着器８を通過したシートＳは、本体筐体２の上面に排紙される。
【００３４】
２．ドラムカートリッジの詳細
以下、図３Ａを参照して、第１実施形態のドラムカートリッジ５Ｋについて説明する。
【００３５】
図３Ａに示すように、ドラムカートリッジ５Ｋは、上記した感光ドラム１４Ｋ、帯電器１５Ｋ（図１参照）に加えて、ドラムフレーム２１Ｋと、第１ドラム突起２２Ａ、２２Ｂと、第２ドラム突起２３Ａ、２３Ｂとを備える。
【００３６】
ドラムフレーム２１Ｋは、感光ドラム１４Ｋおよび帯電器１５Ｋを支持する。ドラムフレーム２１Ｋは、感光ドラム１４Ｋおよび帯電器１５Ｋを覆う。ドラムフレーム２１Ｋは、感光ドラム１４Ｋの回転軸線が延びる方向に延びる。感光ドラム１４Ｋの回転軸線が延びる方向を、軸線方向と定義する。ドラムフレーム２１Ｋは、外表面Ｓ１と、外表面Ｓ２とを有する。外表面Ｓ１は、軸線方向におけるドラムフレーム２１Ｋの一端に位置する。外表面Ｓ２は、軸線方向におけるドラムフレーム２１Ｋの他端に位置する。
【００３７】
第１ドラム突起２２Ａは、外表面Ｓ１に位置する。なお、「外表面Ｓ１に位置する」とは、第１ドラム突起２２Ａが外表面Ｓ１から延びる場合だけでなく、第１ドラム突起２２Ａが、ドラムフレーム２１Ｋとは別の部品として構成され、外表面Ｓ１に取り付けられる場合も含む。すなわち、ドラムフレーム２１Ｋは、第１ドラム突起２２Ａを含む１つの部品として構成されてもよく、第１ドラム突起２２Ａを有さないドラムフレーム本体に、ドラムフレーム本体とは別の部品として構成される第１ドラム突起２２Ａが取り付けられることにより、構成されてもよい。第１ドラム突起２２Ａは、外表面Ｓ１から突出する。第１ドラム突起２２Ａは、軸線方向に延びる。第１ドラム突起２２Ａは、円筒形状を有する。第１ドラム突起２２Ａには、軸線方向における感光ドラム１４Ｋの一端部が、嵌まる。これにより、第１ドラム突起２２Ａは、軸線方向における感光ドラム１４Ｋの一端部を受ける。詳しくは、感光ドラム１４Ｋは、ドラム本体２４Ｋと、第１フランジ２５Ｋと、第２フランジとを備える。第２フランジは、図示されていない。ドラム本体２４Ｋは、軸線方向に延びる。ドラム本体２４Ｋは、円筒形状を有する。第１フランジ２５Ｋは、軸線方向におけるドラム本体２４Ｋの一端部に取り付けられる。すなわち、感光ドラム１４Ｋは、端部にフランジを備える。第２フランジは、軸線方向におけるドラム本体２４Ｋの他端部に取り付けられる。第１ドラム突起２２Ａには、第１フランジ２５Ｋが、嵌まる。第１ドラム突起２２Ａは、ドラムカートリッジ５Ｋがドロワユニット４に装着されるときに、ドロワユニット４のサイドフレーム４１Ａの第１ドラム突起ガイド４４Ｋ（図４参照）に嵌まる。第１ドラム突起ガイド４４Ｋについては、後述する。
【００３８】
第１ドラム突起２２Ｂは、外表面Ｓ２に位置する。第１ドラム突起２２Ｂは、第１ドラム突起２２Ａと同じ形状を有する。第１ドラム突起２２Ｂには、第２フランジが、嵌まる。第１ドラム突起２２Ｂは、ドラムカートリッジ５Ｋがドロワユニット４に装着されるときに、ドロワユニット４のサイドフレーム４１Ｂの第１ドラム突起ガイド４４Ｋ（図４参照）に嵌まる。
【００３９】
第２ドラム突起２３Ａは、外表面Ｓ１に位置する。第２ドラム突起２３Ａは、第１ドラム突起２２Ａとは異なる位置に位置する。第２ドラム突起２３Ａは、外表面Ｓ１から突出する。第２ドラム突起２３Ａは、軸線方向に延びる。第２ドラム突起２３Ａは、円柱形状を有する。第２ドラム突起２３Ａは、ドラムカートリッジ５Ｋがドロワユニット４に装着されるときに、ドロワユニット４のサイドフレーム４１Ａの第２ドラム突起ガイド４５Ｋ（図４参照）に嵌まる。第２ドラム突起ガイド４５Ｋについては、後述する。
【００４０】
第２ドラム突起２３Ｂは、外表面Ｓ２に位置する。第２ドラム突起２３Ｂは、第２ドラム突起２３Ａと同じ形状を有する。第２ドラム突起２３Ｂは、ドラムカートリッジ５Ｋがドロワユニット４に装着されるときに、ドロワユニット４のサイドフレーム４１Ｂの第２ドラム突起ガイド４５Ｋ（図４参照）に嵌まる。
【００４１】
３．現像カートリッジの詳細
以下、図３Ｂを参照して、第１実施形態の現像カートリッジ６Ｋについて説明する。
【００４２】
図３Ｂに示すように、現像カートリッジ６Ｋは、上記した現像ローラ１６Ｋに加えて、現像筐体３１Ｋと、現像突起３２Ａと、現像突起３２Ｂとを備える。
【００４３】
現像筐体３１Ｋは、トナーを収容可能である。現像筐体３１Ｋには、現像ローラ１６Ｋが取り付けられる。現像筐体３１Ｋは、筒形状を有する。現像筐体３１Ｋは、現像ローラ１６Ｋが延びる方向に延びる。現像筐体３１Ｋは、外表面Ｓ１１と、外表面Ｓ１２とを有する。外表面Ｓ１１は、現像ローラ１６Ｋが延びる方向における現像筐体３１Ｋの一端に位置する。外表面Ｓ１２は、現像ローラ１６Ｋが延びる方向における現像筐体３１Ｋの他端に位置する。なお、現像筐体３１Ｋは、ギアカバーを含んでもよい。この場合、ギアカバーは、現像ローラ１６Ｋが延びる方向における現像筐体３１Ｋの一端に位置し、外表面Ｓ１１を有してもよい。
【００４４】
現像突起３２Ａは、外表面Ｓ１１に位置する。現像突起３２Ａは、外表面Ｓ１１から突出する。現像突起３２Ａは、現像ローラ１６Ｋが延びる方向に延びる。現像突起３２Ａは、円筒形状を有する。なお、現像突起３２Ａには、現像ローラ１６Ｋのシャフト３３の一端部が嵌まってもよい。また、現像突起３２Ａは、現像ローラ１６Ｋのシャフト３３の一端部であってもよい。現像突起３２Ａは、現像カートリッジ６Ｋがドロワユニット４に装着されるときに、ドロワユニット４のサイドフレーム４１Ａの現像ガイド４３Ｋ（図４参照）に嵌まる。
【００４５】
現像突起３２Ｂは、外表面Ｓ１２に位置する。現像突起３２Ｂは、外表面Ｓ１２から突出する。現像突起３２Ｂは、現像突起３２Ａと同じ形状を有する。現像突起３２Ｂには、現像ローラ１６Ｋのシャフト３３の他端部が嵌まってもよい。現像突起３２Ｂは、現像カートリッジ６Ｋがドロワユニット４に装着されるときに、ドロワユニット４のサイドフレーム４１Ｂの現像ガイド４３Ｋ（図４参照）に嵌まる。
【００４６】
４．ドロワユニットの詳細
以下、図４および図５を参照して、第１実施形態のドロワユニット４について説明する。
【００４７】
図４に示すように、ドロワユニット４は、上記した複数の露光ヘッド１３Ｋ、１３Ｙ、１３Ｍ、１３Ｃに加えて、ドロワフレーム４０を備える。
【００４８】
ドロワフレーム４０には、複数のドラムカートリッジ５Ｋ、５Ｙ、５Ｍ、５Ｃ、および、複数の現像カートリッジ６Ｋ、６Ｙ、６Ｍ、６Ｃが装着可能である。ドロワフレーム４０は、２つのサイドフレーム４１Ａ、４１Ｂを有する。複数の露光ヘッド１３Ｋ、１３Ｙ、１３Ｍ、１３Ｃは、幅方向において、サイドフレーム４１Ａとサイドフレーム４１Ｂとの間に位置する。幅方向は、移動方向および上下方向と交差する。幅方向は、ドロワフレーム４０にドラムカートリッジ５Ｋおよび現像カートリッジ６Ｋが装着された状態で、軸線方向、および、現像ローラ１６Ｋが延びる方向と同じ方向である。複数のドラムカートリッジ５Ｋ、５Ｙ、５Ｍ、５Ｃ、および、複数の現像カートリッジ６Ｋ、６Ｙ、６Ｍ、６Ｃは、ドロワユニット４に装着された状態で、サイドフレーム４１Ａとサイドフレーム４１Ｂとの間に位置する。サイドフレーム４１Ａおよびサイドフレーム４１Ｂのそれぞれは、移動方向に延びる。サイドフレーム４１Ａおよびサイドフレーム４１Ｂのそれぞれは、平板形状を有する。サイドフレーム４１Ａおよびサイドフレーム４１Ｂのそれぞれは、複数のドラムガイド４２Ｋ、４２Ｙ、４２Ｍ、４２Ｃと、複数の現像ガイド４３Ｋ、４３Ｙ、４３Ｍ、４３Ｃとを有する。すなわち、ドロワユニット４は、ドラムガイド４２Ｋと、ドラムガイド４２Ｙと、現像ガイド４３Ｋと、現像ガイド４３Ｙとを有する。なお、以下の説明において、サイドフレーム４１Ｂは、サイドフレーム４１Ａと同じ構造を有し、サイドフレーム４１Ａと同様に説明される。そのため、サイドフレーム４１Ｂの説明は、省略される。
【００４９】
４．１  複数のドラムガイド
図５に示すように、複数のドラムガイド４２Ｋ、４２Ｙ、４２Ｍ、４２Ｃは、移動方向において、互いに間隔を空けて並ぶ。
【００５０】
ドラムガイド４２Ｋは、ドラムカートリッジ５Ｋの装着をガイドする。ドラムガイド４２Ｋは、第１ドラム突起ガイド４４Ｋと、第２ドラム突起ガイド４５Ｋとを有する。
【００５１】
第１ドラム突起ガイド４４Ｋは、ドラムカートリッジ５Ｋがドロワユニット４に装着されるときに、感光ドラム１４Ｋ（図１参照）が露光ヘッド１３Ｋの下方に位置するまで、ドラムカートリッジ５Ｋの第１ドラム突起２２Ａ（図３Ａ参照）をガイドする。ドラムカートリッジ５Ｋがドロワユニット４に装着されるときに、第１ドラム突起ガイド４４Ｋには、ドラムカートリッジ５Ｋの第１ドラム突起２２Ａが、嵌まる。第１ドラム突起ガイド４４Ｋは、溝である。第１ドラム突起ガイド４４Ｋは、凹部である。第１ドラム突起ガイド４４Ｋは、幅方向において、サイドフレーム４１Ｂ（図４参照）から離れる方向に凹む。
【００５２】
第１ドラム突起ガイド４４Ｋは、第１部分４４Ａと、第２部分４４Ｂとを有する。第１部分４４Ａは、移動方向において、露光ヘッド１３Ｋに対して、現像ガイド４３Ｋの反対側に位置する。第１部分４４Ａは、上下方向に延びる。第２部分４４Ｂは、露光ヘッド１３Ｋの下方に位置する。第２部分４４Ｂは、移動方向に延びる。第２部分４４Ｂには、ドラムカートリッジ５Ｋがドロワユニット４に装着された状態（図８参照）で、第１ドラム突起２２Ａが、嵌まる。これにより、ドラムカートリッジ５Ｋがドロワユニット４に装着された状態（図８参照）で、感光ドラム１４Ｋは、露光ヘッド１３Ｋの下方に位置する。
【００５３】
第２ドラム突起ガイド４５Ｋは、ドラムカートリッジ５Ｋがドロワユニット４に装着されるときに、ドラムカートリッジ５Ｋの第２ドラム突起２３Ａ（図３Ａ参照）をガイドする。ドラムカートリッジ５Ｋがドロワユニット４に装着されるときに、第２ドラム突起ガイド４５Ｋには、ドラムカートリッジ５Ｋの第２ドラム突起２３Ａが、嵌まる。第２ドラム突起ガイド４５Ｋは、貫通穴である。なお、第２ドラム突起ガイド４５Ｋは、溝であってもよい。第２ドラム突起ガイド４５Ｋの全部は、移動方向において、露光ヘッド１３Ｋに対して、現像ガイド４３Ｋの反対側に位置する。
【００５４】
第２ドラム突起ガイド４５Ｋは、第１部分４５Ａと、第２部分４５Ｂと、第３部分４５Ｃとを有する。第１部分４５Ａは、上下方向に延びる。第２部分４５Ｂは、第１部分４５Ａの下端部から、第１ドラム突起ガイド４４Ｋの第２部分４４Ｂに向かって延びる。第２部分４５Ｂは、移動方向に対して傾斜する。詳しくは、第２部分４５Ｂは、移動方向において露光ヘッド１３Ｋに近づくにつれて、下方に向かって傾斜する。言い換えると、移動方向における第２部分４５Ｂと露光ヘッド１３Ｋとの距離は、下方に向かうほど短くなる。第２部分４５Ｂは、移動方向において、一端と他端とを有する。一端は、第１部分４５Ａの下端部に連続する。他端は、移動方向において、一端に対して露光ヘッド１３Ｋの近くに位置する。第３部分４５Ｃは、第２部分４５Ｂの他端から上方に延びる。ドロワユニット４に対するドラムカートリッジ５Ｋの装着が完了した状態（図８参照）で、第２ドラム突起２３Ａは、第３部分４５Ｃに嵌まる。第３部分４５Ｃは、受け面Ｓ３１を有する。すなわち、ドラムガイド４２Ｋは、受け面Ｓ３１を有する。受け面Ｓ３１は、ドラムカートリッジ５Ｋおよび現像カートリッジ６Ｋがドロワユニット４に装着された状態（図８参照）で、現像カートリッジ６Ｋに対して感光ドラム１４Ｋの反対側に位置する。受け面Ｓ３１は、上下方向に延びる。受け面Ｓ３１は、ドラムカートリッジ５Ｋおよび現像カートリッジ６Ｋがドロワユニット４に装着された状態で、現像カートリッジ６Ｋが感光ドラム１４Ｋを押圧する方向に対して交差する。これにより、受け面Ｓ３１は、ドラムカートリッジ５Ｋおよび現像カートリッジ６Ｋがドロワユニット４に装着された状態で、現像カートリッジ６Ｋから感光ドラム１４Ｋに加わる押圧力を受ける。
【００５５】
なお、ドラムガイド４２Ｙは、ドラムカートリッジ５Ｙの装着をガイドする。ドラムガイド４２Ｙは、移動方向において、現像ガイド４３Ｋと露光ヘッド１３Ｙとの間に位置する。ドラムガイド４２Ｍは、ドラムカートリッジ５Ｍの装着をガイドする。ドラムガイド４２Ｍは、移動方向において、現像ガイド４３Ｙと露光ヘッド１３Ｍとの間に位置する。ドラムガイド４２Ｃは、ドラムカートリッジ５Ｃの装着をガイドする。ドラムガイド４２Ｃは、移動方向において、現像ガイド４３Ｍと露光ヘッド１３Ｃとの間に位置する。ドラムガイド４２Ｙ、４２Ｍ、４２Ｃのそれぞれは、ドラムガイド４２Ｋと同じ構造を有し、ドラムガイド４２Ｋと同様に説明される。そのため、ドラムガイド４２Ｙ、４２Ｍ、４２Ｃについての説明は、省略される。
【００５６】
４．２  複数の現像ガイド
複数の現像ガイド４３Ｋ、４３Ｙ、４３Ｍ、４３Ｃは、移動方向において、互いに間隔を空けて並ぶ。
【００５７】
現像ガイド４３Ｋは、現像カートリッジ６Ｋの装着をガイドする。詳しくは、現像ガイド４３Ｋは、現像カートリッジ６Ｋがドロワユニット４に装着されるときに、現像ローラ１６Ｋが感光ドラム１４Ｋに接触するまで、現像カートリッジ６Ｋの現像突起３２Ａ（図３Ｂ参照）をガイドする。現像カートリッジ６Ｋがドロワユニット４に装着されるときに、現像ガイド４３Ｋには、現像カートリッジ６Ｋの現像突起３２Ａが、嵌まる。現像ガイド４３Ｋは、貫通穴である。なお、現像ガイド４３Ｋは、溝であってもよい。現像ガイド４３Ｋの全部は、移動方向において、露光ヘッド１３Ｋに対して、第２ドラム突起ガイド４５Ｋの反対側に位置する。
【００５８】
現像ガイド４３Ｋは、第１部分４３Ａと、第２部分４３Ｂとを有する。第１部分４３Ａは、移動方向において、ドラムガイド４２Ｋから最も離れた部分である。第１部分４３Ａは、上下方向に延びる。第２部分４３Ｂは、移動方向において、ドラムガイド４２Ｋに最も近い部分である。言い換えると、第２部分４３Ｂは、第１部分４３Ａに対してドラムガイド４２Ｋの近くに位置する。第２部分４３Ｂは、第１部分４３Ａの下端部から、第１ドラム突起ガイド４４Ｋの第２部分４４Ｂに向かって延びる。ドロワユニット４に対する現像カートリッジ６Ｋの装着が完了した状態（図９参照）で、現像突起３２Ａは、第２部分４３Ｂに嵌まる。
【００５９】
なお、第２部分４３Ｂは、移動方向に対して傾斜する。詳しくは、第２部分４３Ｂは、移動方向において露光ヘッド１３Ｋに近づくにつれて、下方に向かって傾斜する。言い換えると、移動方向における第２部分４３Ｂと露光ヘッド１３Ｋとの距離は、下方に向かうほど短くなる。
【００６０】
また、現像ガイド４３Ｙは、現像カートリッジ６Ｙの装着をガイドする。現像ガイド４３Ｍは、現像カートリッジ６Ｍの装着をガイドする。現像ガイド４３Ｃは、現像カートリッジ６Ｃの装着をガイドする。現像ガイド４３Ｙ、４３Ｍ、４３Ｃのそれぞれは、現像ガイド４３Ｋと同じ構造を有し、現像ガイド４３Ｋと同様に説明される。そのため、現像ガイド４３Ｙ、４３Ｍ、４３Ｃについての説明は、省略される。
【００６１】
４．３  露光ヘッド
露光ヘッド１３Ｋは、移動方向において、ドラムガイド４２Ｋと現像ガイド４３Ｋとの間に位置する。露光ヘッド１３Ｋは、移動方向において、ドラムガイド４２Ｋの第２ドラム突起ガイド４５Ｋの第１部分４５Ａと、現像ガイド４３Ｋの第１部分４３Ａとの間に位置する。露光ヘッド１３Ｋは、図４に示すように、ドロワフレーム４０に支持される。露光ヘッド１３Ｋは、ドロワユニット４の幅方向に延びる。
【００６２】
詳しくは、露光ヘッド１３Ｋは、露光フレーム５１Ｋと、ＬＥＤアレイとを備える。ＬＥＤアレイは、図示されていない。露光フレーム５１Ｋは、ＬＥＤアレイを収容する。露光フレーム５１Ｋは、ドロワユニット４の幅方向に延びる。露光フレーム５１Ｋは、筒形状を有する。ＬＥＤアレイは、ドラムカートリッジ５Ｋがドロワユニット４に装着された状態で、感光ドラム１４Ｋに対して、所定の間隔を空ける。ＬＥＤアレイは、複数のＬＥＤを有する。複数のＬＥＤは、ドロワユニット４の幅方向に並ぶ。すなわち、複数のＬＥＤは、ドラムカートリッジ５Ｋがドロワユニット４に装着された状態で、軸線方向に並ぶ。
【００６３】
なお、露光ヘッド１３Ｋのうち、少なくともＬＥＤアレイは、ドラムカートリッジ５Ｋがドロワユニット４に装着された状態で、感光ドラム１４Ｋに対して固定される。例えば、ＬＥＤアレイが露光フレーム５１Ｋに対して固定され、露光フレーム５１Ｋがドロワフレーム４０に対して移動可能に支持されてもよい。この場合、露光フレーム５１Ｋは、感光ドラム１４Ｋに対するＬＥＤアレイの位置を調整できる程度、ドロワフレーム４０に対して移動可能であればよい。また、露光フレーム５１Ｋがドロワフレーム４０に対して固定され、ＬＥＤアレイが露光フレーム５１Ｋに対して移動可能に支持されてもよい。
【００６４】
また、露光ヘッド１３Ｙは、移動方向において、ドラムガイド４２Ｙと現像ガイド４３Ｙとの間に位置する。露光ヘッド１３Ｍは、移動方向において、ドラムガイド４２Ｍと現像ガイド４３Ｍとの間に位置する。露光ヘッド１３Ｃは、移動方向において、ドラムガイド４２Ｃと現像ガイド４３Ｃとの間に位置する。露光ヘッド１３Ｙ、１３Ｍ、１３Ｃのそれぞれは、露光ヘッド１３Ｋと同じ構造を有し、露光ヘッド１３Ｋと同様に説明される。そのため、露光ヘッド１３Ｙ、１３Ｍ、１３Ｃのそれぞれについての説明は、省略される。
【００６５】
５．ドロワユニットに対するドラムカートリッジおよび現像カートリッジの装着
以下、図６から図９を参照して、ドロワユニット４に対するドラムカートリッジ５Ｋおよび現像カートリッジ６Ｋの装着について説明する。
【００６６】
まず、図６に示すように、ドロワユニット４にドラムカートリッジ５Ｋを装着するには、ユーザーは、ドラムカートリッジ５Ｋを、第１ドラム突起２２Ａが第１ドラム突起ガイド４４Ｋに嵌まり、第２ドラム突起２３Ａが第２ドラム突起ガイド４５Ｋに嵌まるように、ドロワユニット４に挿入する。
【００６７】
すると、図６および図７に示すように、ドラムカートリッジ５Ｋは、移動方向において、露光ヘッド１３Ｋに対して現像ガイド４３Ｋの反対側を通って、ドロワユニット４に装着される。すなわち、ドラムカートリッジ５Ｋは、移動方向において、露光ヘッド１３Ｋに対して現像カートリッジ６Ｋ（図９参照）の反対側から、ドロワユニット４に装着可能である。
【００６８】
すると、図７に示すように、第１ドラム突起２２Ａは、第１ドラム突起ガイド４４Ｋによってガイドされて、第１ドラム突起ガイド４４Ｋの第２部分４４Ｂに嵌まる。これにより、感光ドラム１４Ｋは、露光ヘッド１３Ｋ（図１参照）の下方に位置する。
【００６９】
また、第２ドラム突起２３Ａは、第２ドラム突起ガイド４５Ｋによってガイドされて、第２ドラム突起ガイド４５Ｋの第２部分４５Ｂに嵌まる。第２ドラム突起２３Ａは、第２ドラム突起ガイド４５Ｋの第３部分４５Ｃの下方に位置する。なお、ドラムカートリッジ５Ｋが図７に示す位置にあるとき、感光ドラム１４Ｋに対して露光ヘッド１３Ｋの固定が解除され、ドロワフレーム４０からのドラムカートリッジ５Ｋの離脱が可能である。
【００７０】
次いで、図７および図８に示すように、ユーザーは、第１ドラム突起２２Ａを中心として、第２ドラム突起２３Ａが第２ドラム突起ガイド４５Ｋの第３部分４５Ｃに近づくように、ドラムカートリッジ５Ｋを回転させる。すなわち、ドラムカートリッジ５Ｋは、ドロワフレーム４０が外部位置にあるときに、ドロワフレーム４０に装着された状態で、第１位置（図８参照）と、第２位置（図７参照）との間を回動可能である。なお、このときのドラムカートリッジ５Ｋの回転方向は、感光ドラム１４Ｋの回転方向と同じである。そのため、感光ドラム１４Ｋが回転したときに、第２ドラム突起２３Ａが第３部分４５Ｃから外れることを防止できる。
【００７１】
ドラムカートリッジ５Ｋを回転させると、図８に示すように、第２ドラム突起２３Ａは、第２ドラム突起ガイド４５Ｋの第３部分４５Ｃに嵌まる。また、第２ドラム突起２３Ａは、受け面Ｓ３１に接触する。これにより、ドラムカートリッジ５Ｋが図８に示す位置にあるとき、感光ドラム１４Ｋに対して露光ヘッド１３Ｋが固定され、ドロワフレーム４０からのドラムカートリッジ５Ｋの離脱が不能となる。
【００７２】
これにより、ドロワユニット４に対するドラムカートリッジ５Ｋの装着が完了する。
【００７３】
次いで、図９に示すように、ドロワユニット４に現像カートリッジ６Ｋを装着するには、ユーザーは、現像カートリッジ６Ｋを、現像突起３２Ａが現像ガイド４３Ｋに嵌まるように、ドロワユニット４に挿入する。
【００７４】
すると、現像突起３２Ａは、現像ガイド４３Ｋによってガイドされて、現像ガイド４３Ｋの第２部分４３Ｂに嵌まる。また、現像ローラ１６Ｋは、感光ドラム１４Ｋに接触する。
【００７５】
このとき、現像カートリッジ６Ｋは、移動方向において、露光ヘッド１３Ｋに対してドラムガイド４２Ｋの反対側を通って、ドロワユニット４に装着される。すなわち、現像カートリッジ６Ｋは、移動方向において、露光ヘッド１３Ｋに対してドラムカートリッジ５Ｋの反対側から、ドロワユニット４に装着可能である。
【００７６】
これにより、ドロワユニット４に対する現像カートリッジ６Ｋの装着が完了する。
【００７７】
４．作用効果
第１実施形態によれば、図４および図５に示すように、ドロワユニット４は、ドラムガイド４２Ｋと現像ガイド４３Ｋとの間において、露光ヘッド１３Ｋを備える。
【００７８】
そのため、図６から図８に示すように、ドラムカートリッジ５Ｋを、露光ヘッド１３Ｋに対して現像カートリッジ６Ｋ（図９参照）の反対側から、露光ヘッド１３Ｋを避けて、ドロワユニット４に対して装着できる。
【００７９】
また、図９に示すように、現像カートリッジ６Ｋを、露光ヘッド１３Ｋに対してドラムカートリッジ５Ｋの反対側から、露光ヘッド１３Ｋを避けて、ドロワユニット４に対して装着できる。
【００８０】
その結果、露光ヘッド１３Ｋを備えるドロワユニット４に対して、露光ヘッド１３Ｋを避けて、ドラムカートリッジ５Ｋおよび現像カートリッジ６Ｋを装着できる。
【００８１】
特に、図１に示すように、ドラムカートリッジ５Ｋが帯電器１５Ｋを備え、ドラムカートリッジ５Ｋおよび現像カートリッジ６Ｋがドロワユニット４に装着された状態で、露光ヘッド１３Ｋが帯電器１５Ｋと現像カートリッジ６Ｋとの間に位置する場合、ドラムカートリッジ５Ｋを現像カートリッジ６Ｋと同じ方向から装着しようとすると、ドロワユニット４に対するドラムカートリッジ５Ｋの装着経路を確保するために、露光ヘッド１３Ｋを移動させることなどを検討する必要がある。
【００８２】
この点、上記した第１実施形態では、ドラムカートリッジ５Ｋを、露光ヘッド１３Ｋに対して現像カートリッジ６Ｋの反対側から、露光ヘッド１３Ｋを避けて、ドロワユニット４に対して装着できる。
【００８３】
そのため、ドロワユニット４に対するドラムカートリッジ５Ｋの装着経路を確保するために露光ヘッド１３Ｋを移動させる構成、などを別途設ける必要がなく、簡易な構成で、露光ヘッド１３Ｋを備えるドロワユニット４に対して、ドラムカートリッジ５Ｋおよび現像カートリッジ６Ｋを装着できる。
【００８４】
５．第２実施形態
図１０から図１３を参照して、第２実施形態について説明する。なお、第２実施形態において、第１実施形態と同じ部材には同じ符号を付し、その説明を省略する。
【００８５】
５．１  ドロワユニット
ドロワユニット１００は、図１０に示すように、第１実施形態の現像ガイド４３Ｋおよびドラムガイド４２Ｙの代わりに、現像ガイド１０１Ｋを有する。
【００８６】
現像ガイド１０１Ｋは、第１ガイド部１０２Ｋと、第２ガイド部１０３Ｋと、第３ガイド部１０４Ｙとを有する。
【００８７】
５．１．１  第１ガイド部
図１１に示す第１ガイド部１０２Ｋは、ドロワユニット１００に対するドラムカートリッジ１１０Ｙの装着、および、ドロワユニット１００に対する現像カートリッジ６Ｋの装着をガイドする。第１ガイド部１０２Ｋには、ドラムカートリッジ１１０Ｙがドロワユニット１００に装着されるときに、ドラムカートリッジ１１０Ｙの第１ドラム突起２２Ａおよび第２ドラム突起２３Ａが、嵌まる。また、第１ガイド部１０２Ｋには、現像カートリッジ６Ｋがドロワユニット１００に装着されるときに、現像カートリッジ６Ｋの現像突起３２Ａが、嵌まる。第１ガイド部１０２Ｋは、上下方向に延びる。第１ガイド部１０２Ｋは、貫通穴である。なお、第１ガイド部１０２Ｋは、溝であってもよい。
【００８８】
５．１．２  第２ガイド部
第２ガイド部１０３Ｋは、ドロワユニット１００に対する現像カートリッジ６Ｋの装着をガイドする。詳しくは、第２ガイド部１０３Ｋは、現像カートリッジ６Ｋがドロワユニット１００に装着されるときに、第１ガイド部１０２Ｋに続いて、ドロワユニット１００に対する現像カートリッジ６Ｋの装着をガイドする。現像カートリッジ６Ｋがドロワユニット１００に装着されるときに、第２ガイド部１０３Ｋには、現像突起３２Ａが、嵌まる。第２ガイド部１０３Ｋは、第１ガイド部１０２Ｋに対して、第１ドラム突起ガイド４４Ｋの第２部分４４Ｂの近くに位置する。第２ガイド部１０３Ｋは、第１ガイド部１０２Ｋから延びる。詳しくは、第２ガイド部１０３Ｋは、第１ガイド部１０２Ｋの下端部から、第１ドラム突起ガイド４４Ｋの第２部分４４Ｂに向かって延びる。第２ガイド部１０３Ｋは、貫通穴である。なお、第２ガイド部１０３Ｋは、溝であってもよい。
【００８９】
なお、図１０に示すように、第２ガイド部１０３Ｋの幅Ｗ１は、第１ドラム突起２２Ａ（図１１参照）の幅Ｗ２よりも小さい。言い換えると、第１ドラム突起２２Ａの幅Ｗ２は、第２ガイド部１０３Ｋの幅Ｗ１よりも大きい。これにより、ドラムカートリッジ１１０Ｙがドロワユニット１００に装着されるときに、ドラムカートリッジ１１０Ｙの第１ドラム突起２２Ａが第２ガイド部１０３Ｋに嵌まることを防止できる。
【００９０】
５．１．３  第３ガイド部
図１１に示すように、第３ガイド部１０４Ｙは、ドロワユニット１００に対するドラムカートリッジ１１０Ｙの装着をガイドする。詳しくは、第３ガイド部１０４Ｙは、ドラムカートリッジ１１０Ｙがドロワユニット１００に装着されるときに、第１ガイド部１０２Ｋに続いて、ドロワユニット１００に対するドラムカートリッジ１１０Ｙの装着をガイドする。第３ガイド部１０４Ｙは、第１ガイド部１０２Ｋから、移動方向において第２ガイド部１０３Ｋとは反対側に延びる。第３ガイド部１０４Ｙは、第１実施形態のドラムガイド４２Ｙ（図５参照）と同様に、第１ドラム突起ガイド４４Ｙと、第２ドラム突起ガイド４５Ｙとを有する。第３ガイド部１０４Ｙの第１ドラム突起ガイド４４Ｙには、ドラムカートリッジ１１０Ｙがドロワユニット１００に装着されるときに、ドラムカートリッジ１１０Ｙの第１ドラム突起２２Ａが、嵌まる。第３ガイド部１０４Ｙの第２ドラム突起ガイド４５Ｙには、ドラムカートリッジ５Ｙがドロワユニット４に装着されるときに、ドラムカートリッジ１１０Ｙの第２ドラム突起２３Ａが、嵌まる。
【００９１】
なお、図１３Ａに示すように、第１ガイド部１０２Ｋは、第１の深さＤ１を有する。また、第２ガイド部１０３Ｋ（図１０参照）および第２ドラム突起ガイド４５Ｙ（図１０参照）は、第１ガイド部１０２Ｋと同じ第１の深さＤ１を有する。一方、第１ドラム突起ガイド４４Ｙは、第１の深さＤ１よりも浅い第２の深さＤ２を有する。これにより、現像カートリッジ６Ｋの現像突起３２Ａ（図１１参照）が第１ドラム突起ガイド４４Ｙに嵌まることを防止できる。
【００９２】
また、図１０に示すように、第２ドラム突起ガイド４５Ｙの幅Ｗ３は、現像突起３２Ａの幅Ｗ４（図１１参照）よりも小さい。言い換えると、現像突起３２Ａの幅Ｗ４は、第２ドラム突起ガイド４５Ｙの幅Ｗ３よりも大きい。これにより、現像突起３２Ａが第２ドラム突起ガイド４５Ｙに嵌まることを防止できる。
【００９３】
なお、ドロワユニット１００は、第１実施形態の現像ガイド４３Ｙおよびドラムガイド４２Ｍの代わりに、現像ガイド１０１Ｙを、第１実施形態の現像ガイド４３Ｍおよびドラムガイド４２Ｃの代わりに、現像ガイド１０１Ｍを、さらに有する。現像ガイド１０１Ｙおよび現像ガイド１０１Ｍのそれぞれは、現像ガイド１０１Ｋと同じ構造を有し、現像ガイド１０１Ｋと同様に説明される。そのため、現像ガイド１０１Ｙおよび現像ガイド１０１Ｍについての説明は、省略される。
【００９４】
５．２  ドラムカートリッジ
図１２に示すように、ドラムカートリッジ１１０Ｙは、第１実施形態のドラムカートリッジ５Ｋ（図３Ａ参照）と同様に、第１ドラム突起２２Ａと、第２ドラム突起２３Ａとを有する。また、ドラムカートリッジ１１０Ｙは、第１実施形態のドラムカートリッジ５Ｋと異なり、支持台１１１Ａを、さらに有する。
【００９５】
支持台１１１Ａは、第２ドラム突起２３Ａを支える。詳しくは、支持台１１１Ａは、軸線方向において、ドラムフレーム２１Ｙの外表面Ｓ１と第２ドラム突起２３Ａとの間に位置する。支持台１１１Ａは、外表面Ｓ１から軸線方向に突出する。また、支持台１１１Ａは、外表面Ｓ１に沿って、軸線方向と交差する方向に延びる。なお、第２ドラム突起２３Ａは、支持台１１１Ａから延びる。
【００９６】
支持台１１１Ａは、軸線方向と交差する方向において、第２ドラム突起２３Ａよりも大きい。また、支持台１１１Ａは、第２ガイド部１０３Ｋの幅Ｗ１（図１０参照）よりも大きい。そのため、図１３Ｂに示すように、支持台１１１Ａは、第２ガイド部１０３Ｋに嵌まらない。これにより、支持台１１１Ａから延びる第２ドラム突起２３Ａも、第２ガイド部１０３Ｋに嵌まらない。
【００９７】
５．４  第２実施形態の作用効果
第２実施形態によれば、現像ガイド４３Ｋとドラムガイド４２Ｙとが別々に設けられる場合と比べて、移動方向におけるドロワユニット１００の小型化を図ることができる。
【００９８】
また、第２実施形態においても、第１実施形態と同様の作用効果を得ることができる。
【００９９】
６．第３実施形態
以下、図１４から図１７Ｂを参照して、第３実施形態について説明する。なお、第３実施形態において、第１実施形態と同じ部材には同じ符号を付し、その説明を省略する。
【０１００】
６．１  露光ヘッド
ドロワユニット２００の露光ヘッド２０１Ｋは、ドラムカートリッジ２１０Ｋがドロワユニット２００から離脱されているときに、ドロワユニット２００に対して移動可能である。詳しくは、図１４に示すように、露光ヘッド２０１Ｋは、上記した露光フレーム５１Ｋと、ボス２０２Ａと、ボス２０２Ｂとを有する。
【０１０１】
露光フレーム５１Ｋは、ドロワユニット２００の幅方向に延びる。露光フレーム５１Ｋは、ドロワユニット２００の幅方向において、サイドフレーム４１Ａとサイドフレーム４１Ｂとの間に位置する。露光フレーム５１Ｋは、ドロワユニット２００の幅方向において、サイドフレーム４１Ａに対して間隔を空けて位置する。露光フレーム５１Ｋは、ドロワユニット２００の幅方向において、サイドフレーム４１Ｂに対して間隔を空けて位置する。
【０１０２】
ボス２０２Ａは、ドロワユニット２００の幅方向において、露光フレーム５１Ｋとサイドフレーム４１Ａとの間に位置する。ボス２０２Ａは、露光フレーム５１Ｋから延びる。ボス２０２Ａは、ドロワユニット２００の幅方向に延びる。ボス２０２Ａは、円柱である。ボス２０２Ａは、サイドフレーム４１Ａの長穴２０５（図１５参照）に嵌まる。長穴２０５は、上下方向に延びる。
【０１０３】
ボス２０２Ｂは、ドロワユニット２００の幅方向において、露光フレーム５１Ｋとサイドフレーム４１Ｂとの間に位置する。ボス２０２Ｂは、ボス２０２Ａと同じ形状を有する。ボス２０２Ｂは、サイドフレーム４１Ｂの長穴に嵌まる。サイドフレーム４１Ｂの長穴は、図示されていない。サイドフレーム４１Ｂの長穴は、長穴２０５と同じ形状を有する。
【０１０４】
露光ヘッド２０１Ｋは、ボス２０２Ａがサイドフレーム４１Ａの長穴２０５に嵌まり、ボス２０２Ｂがサイドフレーム４１Ｂの長穴に嵌まることにより、ドロワユニット２００に支持される。露光ヘッド２０１Ｋは、ボス２０２Ａがサイドフレーム４１Ａの長穴２０５によってガイドされるとともに、ボス２０２Ｂがサイドフレーム４１Ｂの長穴によってガイドされることにより、ドロワユニット２００に対して上下方向に移動可能である。なお、ドロワユニット２００に対する露光ヘッド２０１Ｋの移動は、ドラムカートリッジ２１０Ｋ（図１７Ａ参照）がドロワユニット２００に装着されるときに、感光ドラム１４Ｋに対する露光ヘッド２０１Ｋの位置を微調整するための移動である。
【０１０５】
露光ヘッド２０１Ｙ、２０１Ｍ、２０１Ｃのそれぞれは、露光ヘッド２０１Ｋと同じ構造を有し、露光ヘッド２０１Ｋと同様に説明される。そのため、露光ヘッド２０１Ｙ、２０１Ｍ、２０１Ｃについての説明は、省略される。
【０１０６】
６．２  押圧部材およびバネ
図１５に示すように、ドロワユニット２００は、押圧部材２０３Ｋと、バネ２０４Ｋとを備える。
【０１０７】
押圧部材２０３Ｋは、ドラムカートリッジ２１０Ｋがドロワユニット２００に装着された状態で、ボス２０２Ａが接触面Ｓ４１（図１７Ｂ参照）に接触するように、露光ヘッド２０１Ｋを押圧する。具体的には、押圧部材２０３Ｋは、バネ２０４Ｋによって下方に向かって押圧されることにより、ボス２０２Ａを下方に向かって押圧する。押圧部材２０３Ｋは、ボス２０２Ａの上方に位置する。押圧部材２０３Ｋは、ボス２０２Ａに接触する。押圧部材２０３Ｋは、移動方向に延びる。押圧部材２０３Ｋは、板形状を有する。押圧部材２０３Ｋは、サイドフレーム４１Ａに取り付けられる。押圧部材２０３Ｋは、サイドフレーム４１Ａに対して、上下方向に移動可能である。
【０１０８】
バネ２０４Ｋは、押圧部材２０３Ｋをボス２０２Ａに向かって押圧する。バネ２０４Ｋは、サイドフレーム４１Ａに取り付けられる。バネ２０４Ｋは、押圧部材２０３Ｋに対して、ボス２０２Ａの反対側に位置する。バネ２０４Ｋは、押圧部材２０３Ｋに接触する。
【０１０９】
なお、ドロワユニット２００は、露光ヘッド２０１Ｙを押圧するための押圧部材およびバネと、露光ヘッド２０１Ｍを押圧するための押圧部材およびバネと、露光ヘッド２０１Ｃを押圧するための押圧部材およびバネとを、さらに備える。これらの押圧部材のそれぞれは、押圧部材２０３Ｋと同じ構造を有し、押圧部材２０３Ｋと同様に説明される。また、これらのバネのそれぞれは、バネ２０４Ｋと同じ構造を有し、バネ２０４Ｋと同様に説明される。そのため、これらの押圧部材およびバネについての説明は、省略される。
【０１１０】
６．３  ドラムカートリッジ
図１６に示すように、ドラムカートリッジ２１０Ｋは、溝２１１Ａと、溝２１１Ｂとを有する。
【０１１１】
溝２１１Ａは、軸線方向におけるドラムフレーム２１Ｋの一端部に位置する。溝２１１Ａには、ドラムカートリッジ２１０Ｋがドロワユニット２００に装着された状態で、露光ヘッド１３Ｋのボス２０２Ａ（図１７Ｂ参照）が嵌まる。溝２１１Ａは、接触面Ｓ４１を有する。すなわち、ドラムカートリッジ２１０Ｋは、接触面Ｓ４１を有する。
【０１１２】
接触面Ｓ４１は、溝２１１Ａの内面である。接触面Ｓ４１は、図１７Ａおよび図１７Ｂに示すように、ドラムカートリッジ２１０Ｋがドロワユニット２００に装着されるときに、ボス２０２Ａと接触する。詳しくは、接触面Ｓ４１は、ドラムカートリッジ２１０Ｋがドロワユニット２００に装着されて、ドラムカートリッジ２１０Ｋが第１ドラム突起２２Ａを中心として回転され、溝２１１Ａにボス２０２Ａが嵌まったときに、ボス２０２Ａと接触する。これにより、感光ドラム１４Ｋに対する露光ヘッド２０１Ｋの位置を微調整することができる。接触面Ｓ４１は、ドラムカートリッジ２１０Ｋが第１位置（図１７Ｂ参照）に位置する状態で、ボス２０２Ａと接触し、ドラムカートリッジ２１０Ｋが第２位置（図１７Ａ参照）に位置する状態で、ボス２０２Ａから離れる。接触面Ｓ４１は、図１７Ｂに示すように、溝２１１Ａにボス２０２Ａが嵌まった状態で、ボス２０２Ａの下方に位置する。このとき、ボス２０２Ａは、ドラムカートリッジ２１０Ｋがドロワユニット２００に装着された状態で、押圧部材２０３Ｋ（図１５参照）と接触面Ｓ４１との間に位置する。これにより、押圧部材２０３Ｋは、ドラムカートリッジ２１０Ｋがドロワユニット２００に装着された状態で、ボス２０２Ａを接触面Ｓ４１に向かって押圧する。すると、接触面Ｓ４１は、ボス２０２Ａと接触することにより、露光ヘッド２０１Ｋを感光ドラム１４Ｋに対して位置決めする。
【０１１３】
ここで、「露光ヘッド２０１Ｋを感光ドラム１４Ｋに対して位置決めする」とは、ボス２０２Ａと接触面Ｓ４１との接触により、露光ヘッド２０１Ｋと感光ドラム１４Ｋとの距離が一定に保たれた状態で、露光ヘッド２０１Ｋを、感光ドラム１４Ｋに対して移動しないようにすることを意味する。つまり、「露光ヘッド２０１Ｋを感光ドラム１４Ｋに対して位置決めする」とは、露光ヘッド２０１Ｋと感光ドラム１４Ｋとを、ねじによる固定や接着剤による接着などで移動しないようにすることを意味しない。
【０１１４】
このように、露光ヘッド２０１Ｋは、ドラムカートリッジ２１０Ｋがドロワユニット２００に装着されるときに、感光ドラム１４Ｋに対して固定される。
【０１１５】
６．４  第３実施形態の作用効果
第３実施形態によれば、ドラムカートリッジ２１０Ｋがドロワユニット２００に装着されるときに、感光ドラム１４Ｋに対する露光ヘッド２０１Ｋの位置を微調整した上で、露光ヘッド２０１Ｋを感光ドラム１４Ｋに対して固定できる。
【０１１６】
また、第３実施形態においても、第１実施形態と同様の作用効果を得ることができる。
【０１１７】
６．５  第３実施形態の変形例
押圧部材２０３Ｋは、ドラムカートリッジ２１０Ｋに設けられてもよい。
【０１１８】
また、押圧部材２０３Ｋは、例えば、トーションバネなどのバネであってもよい。この場合、ドロワユニット２００は、押圧部材２０３Ｋを押圧するためのバネ２０４Ｋを備えない。
【０１１９】
また、図１８に示すように、ドラムカートリッジ２１０Ｋは、ドラムフレーム２２０Ｋと、フランジ受け部材２２１Ａとを備えてもよい。
【０１２０】
ドラムフレーム２２０Ｋは、第１ドラム突起２２Ａ（図１６参照）の代わりに、貫通穴２２２Ａを有する。貫通穴２２２Ａには、フランジ受け部材２２１Ａの円筒部２２３Ａが嵌まる。また、ドラムフレーム２２０Ｋは、溝２２５Ａを有する。溝２２５Ａは、フランジ受け部材２２１Ａがドラムフレーム２２０Ｋに取り付けられた状態で、軸線方向において、フランジ受け部材２２１Ａの溝２１１Ａと重なる。
【０１２１】
フランジ受け部材２２１Ａは、円筒部２２３Ａと、突起２２４Ａとを有する。
【０１２２】
円筒部２２３Ａは、軸線方向に延びる。円筒部２２３Ａには、感光ドラム１４Ｋの第１フランジ２５Ｋが嵌まる。これにより、フランジ受け部材２２１Ａは、感光ドラム１４Ｋの第１フランジ２５Ｋを受ける。また、円筒部２２３Ａは、ドラムフレーム２２０Ｋの貫通穴２２２Ａに嵌まる。これにより、フランジ受け部材２２１Ａは、ドラムフレーム２２０Ｋに取り付けられる。フランジ受け部材２２１Ａがドラムフレーム２２０Ｋに取り付けられた状態で、円筒部２２３Ａは、貫通穴２２２Ａを介して、ドラムフレーム２２０Ｋの外表面Ｓ１よりも突出する。円筒部２２３Ａのうち、外表面Ｓ１よりも突出した部分が、第１ドラム突起２２Ａ（図１６参照）と同様に、第１ドラム突起ガイド４４Ｋ（図５参照）に嵌まる。
【０１２３】
突起２２４Ａは、円筒部２２３Ａの周面から延びる。突起２２４Ａは、円筒部２２３Ａの径方向に延びる。突起２２４Ａは、溝２１１Ａを有する。突起２２４Ａは、接触面Ｓ４１を有する。すなわち、フランジ受け部材２２１Ａは、第１フランジ２５Ｋを受ける位置と異なる位置に、接触面Ｓ４１を有する。具体的には、フランジ受け部材２２１Ａは、第１フランジ２５Ｋを受ける円筒部２２３Ａと異なる位置に、接触面Ｓ４１を有する。突起２２４Ａは、フランジ受け部材２２１Ａがドラムフレーム２２０Ｋに取り付けられた状態で、軸線方向において、外表面Ｓ１と外表面Ｓ２（図１６参照）との間に位置する。言い換えると、接触面Ｓ４１は、フランジ受け部材２２１Ａがドラムフレーム２２０Ｋに取り付けられた状態で、軸線方向において、外表面Ｓ１と外表面Ｓ２との間に位置する。突起２２４Ａは、フランジ受け部材２２１Ａがドラムフレーム２２０Ｋに取り付けられた状態で、軸線方向において、外表面Ｓ１とドラム本体２４Ｋとの間に位置する。言い換えると、接触面Ｓ４１は、フランジ受け部材２２１Ａがドラムフレーム２２０Ｋに取り付けられた状態で、軸線方向において、外表面Ｓ１とドラム本体２４Ｋとの間に位置する。
【０１２４】
この変形例によれば、感光ドラム１４Ｋの第１フランジ２５Ｋを受けるフランジ受け部材２２１Ａに、接触面Ｓ４１が設けられている。そのため、露光ヘッド２０１Ｋの感光ドラム１４Ｋに対する位置決め精度の向上を図ることができる。
【０１２５】
７．第４実施形態
以下、図１９Ａおよび図１９Ｂを参照して、第４実施形態について説明する。なお、第４実施形態において、第１実施形態と同じ部材には同じ符号を付し、その説明を省略する。
【０１２６】
７．１  ドロワユニット
ドロワユニット３００は、第１壁３０１と、第２壁３０２とを備える。
【０１２７】
第１壁３０１は、移動方向におけるドロワユニット３００の一端部に位置する。第１壁３０１は、移動方向において、ドラムガイド４２Ｋに対して、露光ヘッド１３Ｋの反対側に位置する。第１壁３０１は、移動方向において、第２壁３０２から離れる方向に移動可能である。第１壁３０１は、第２壁３０２から離れる方向に回動可能である。詳しくは、第１壁３０１は、移動方向において、第１位置（図１９Ａ参照）と、第２位置（図１９Ｂ参照）との間を移動可能である。第２位置は、第１位置よりも第２壁３０２から離れた位置である。すなわち、第１壁３０１は、第１位置から第２位置へ移動するときに、第２壁３０２から離れる方向に移動する。
【０１２８】
図１９Ａに示すように、第１壁３０１は、第１位置にあるとき、ドラムガイド４２Ｋに沿ったドラムカートリッジ５Ｋの移動を遮る。そのため、ドラムカートリッジ５Ｋがドロワユニット３００に装着された状態で、第１壁３０１が第１位置に位置するとき、ドラムカートリッジ５Ｋは、ドロワユニット３００から離脱できない。
【０１２９】
また、図１９Ｂに示すように、第１壁３０１は、第２位置にあるとき、ドラムガイド４２Ｋに沿ったドラムカートリッジ５Ｋの移動を遮らない。そのため、ドラムカートリッジ５Ｋがドロワユニット３００に装着された状態で、第１壁３０１が第２位置に位置するとき、ドラムカートリッジ５Ｋは、ドロワユニット３００から離脱できる。
【０１３０】
なお、第１壁３０１の全部が移動可能であってもよい。第１壁３０１の一部が移動可能であってもよい。第１壁３０１の一部は、具体的には、ドロワユニット３００のグリップ３０１Ａであってもよい。また、ドロワユニット３００は、第１壁３０１を第２壁３０２から近づける方向に向かって押圧するバネを備えてもよい。すなわち、第１壁３０１は、バネにより第１位置にあるように押圧されてもよい。
【０１３１】
この場合、ドロワユニット３００は、第１壁３０１から第２壁３０２へ向かう方向に内部位置から外部位置へと移動する。第２壁３０２は、グリップ３０２Ａを有する。ユーザーは、グリップ３０２Ａを把持して、ドロワユニット３００を内部位置から外部位置へと移動させる。ユーザーは、ドラムカートリッジ５Ｋをドロワユニット３００に対して着脱するときだけ、バネの押圧力に抗して第１壁３０１を第１位置から第２位置へと移動させ、ドラムガイド４２Ｋに沿ったドラムカートリッジ５Ｋの移動を遮らないようにする。
【０１３２】
第２壁３０２は、移動方向におけるドロワユニット３００の他端部に位置する。第２壁３０２は、移動方向において、露光ヘッド１３Ｋに対して、ドラムガイド４２Ｋの反対側に位置する。
【０１３３】
第４実施形態においても、第１実施形態と同様の作用効果を得ることができる。
【０１３４】
７．２  第４実施形態の変形例
ドロワユニット３００は、第１壁３０１を第２壁３０２から離れる方向に向かって押圧するバネを備えてもよい。第１壁３０１は、カバー２Ｂが閉位置（図１参照）から開位置（図２参照）へ向かって移動するときに、バネの押圧力によって、第１位置から第２位置へ移動してもよい。
【０１３５】
この場合、ドロワユニット３００は、第２壁３０２から第１壁３０１へ向かう方向に内部位置から外部位置へと移動する。第１壁３０１は、バネの押圧力によって、カバー２Ｂが閉位置（図１参照）から開位置（図２参照）へ向かって移動するときに、第１位置から第２位置へ移動する。ここで、ユーザーは、動くものに対して、注意をひかれやすい。そのため、ユーザーは、第１壁３０１が移動したことに気づきやすく、第１壁３０１のグリップ３０１Ａを把持して、ドロワユニット３００を内部位置から外部位置へ移動させればよいことを理解しやすくなる。なお、ユーザーは、ドロワユニット３００を外部位置から内部位置へと移動させた後、カバー２Ｂを開位置（図２参照）から閉位置（図１参照）へ向かって移動させることにより、第１壁３０１を第２位置から第１位置へと移動させる。第１壁３０１は、カバー２Ｂに押圧されることにより、バネの押圧力に抗して第２位置から第１位置へと移動する。
【０１３６】
８．第５実施形態
以下、図２０Ａから図２４を参照して、第５実施形態について説明する。なお、第５実施形態において、第１実施形態と同じ部材には同じ符号を付し、その説明を省略する。
【０１３７】
８．１  現像カートリッジ
図２０Ａに示すように、現像カートリッジ６Ｋは、凹部４０１Ｋと、凹部４０２Ｋと、凹部４０３Ｋとを有してもよい。
【０１３８】
凹部４０１Ｋには、現像カートリッジ６Ｋがドロワユニット４に対して適正な位置に装着されたときに、ドラムカートリッジ５Ｙの突起４１１Ｙ（図２１参照）が、嵌まる。なお、「現像カートリッジ６Ｋがドロワユニット４に対して適正な位置に装着される」とは、現像ローラ１６Ｋが感光ドラム１４Ｋ（図１参照）に接触する位置に、現像カートリッジ６Ｋが、装着されることである。具体的には、現像カートリッジ６Ｋは、ドロワユニット４に対して適正な位置に装着された状態で、移動方向において、ドラムカートリッジ５Ｋ（図２１参照）とドラムカートリッジ５Ｙ（図２１参照）との間に位置する。凹部４０１Ｋは、現像筐体３１Ｋに設けられる。詳しくは、現像筐体３１Ｋは、外表面Ｓ２１と、外表面Ｓ２２とを有する。外表面Ｓ２２は、現像カートリッジ６Ｋがドラムカートリッジ５Ｋとドラムカートリッジ５Ｙとの間に装着されたときに、移動方向において、外表面Ｓ２１に対してドラムカートリッジ５Ｙの近くに位置する。凹部４０１Ｋは、外表面Ｓ２２に設けられる。凹部４０１Ｋは、現像ローラ１６Ｋが延びる方向において、凹部４０２Ｋと凹部４０３Ｋとの間に位置する。凹部４０１Ｋは、現像ローラ１６Ｋが延びる方向において、凹部４０２Ｋに対して凹部４０３Ｋの近くに位置する。
【０１３９】
凹部４０２Ｋには、現像カートリッジ６Ｋがドロワユニット４に対して適正な位置に装着されたときに、ドラムカートリッジ５Ｙの突起４１２Ｙ（図２１参照）が、嵌まる。凹部４０２Ｋは、外表面Ｓ２２に設けられる。
【０１４０】
凹部４０３Ｋには、現像カートリッジ６Ｋがドロワユニット４に対して適正な位置に装着されたときに、ドラムカートリッジ５Ｙの突起４１３Ｙ（図２１参照）が、嵌まる。凹部４０３Ｋは、外表面Ｓ２２に設けられる。凹部４０３Ｋは、現像ローラ１６Ｋが延びる方向において、凹部４０２Ｋに対して間隔を隔てて位置する。
【０１４１】
また、図２０Ｂに示すように、現像カートリッジ６Ｙは、凹部４０１Ｙと、凹部４０２Ｙと、凹部４０３Ｙとを有してもよい。
【０１４２】
凹部４０１Ｙには、現像カートリッジ６Ｙがドロワユニット４に対して適正な位置に装着されたときに、ドラムカートリッジ５Ｍの突起４１１Ｍ（図２１参照）が、嵌まる。現像カートリッジ６Ｙは、ドロワユニット４に対して適正な位置に装着された状態で、移動方向において、ドラムカートリッジ５Ｙ（図２１参照）とドラムカートリッジ５Ｍ（図２１参照）との間に位置する。凹部４０１Ｙは、現像筐体３１Ｙの外表面Ｓ２２に設けられる。凹部４０１Ｙは、現像ローラ１６Ｙが延びる方向において、凹部４０２Ｙと凹部４０３Ｙとの間に位置する。凹部４０１Ｙは、現像ローラ１６Ｙが延びる方向において、凹部４０３Ｙに対して凹部４０２Ｙの近くに位置する。これにより、凹部４０１Ｙは、現像カートリッジ６Ｋおよび現像カートリッジ６Ｙがドロワユニット４に装着された状態で、幅方向において、現像カートリッジ６Ｋの凹部４０１Ｋ（図２０Ａ参照）と異なる位置に位置する。
【０１４３】
凹部４０２Ｙには、現像カートリッジ６Ｙがドロワユニット４に対して適正な位置に装着されたときに、ドラムカートリッジ５Ｍの突起４１２Ｍ（図２１参照）が、嵌まる。凹部４０２Ｙは、現像筐体３１Ｙの外表面Ｓ２２に設けられる。なお、凹部４０２Ｙは、現像カートリッジ６Ｋおよび現像カートリッジ６Ｙがドロワユニット４に装着された状態で、幅方向において、現像カートリッジ６Ｋの凹部４０２Ｋ（図２０Ａ参照）と同じ位置に位置する。
【０１４４】
凹部４０３Ｙには、現像カートリッジ６Ｙがドロワユニット４に対して適正な位置に装着されたときに、ドラムカートリッジ５Ｍの突起４１３Ｍ（図２１参照）が、嵌まる。凹部４０３Ｙは、現像筐体３１Ｙの外表面Ｓ２２に設けられる。凹部４０３Ｙは、現像ローラ１６Ｙが延びる方向において、凹部４０２Ｙに対して間隔を隔てて位置する。なお、凹部４０３Ｙは、現像カートリッジ６Ｋおよび現像カートリッジ６Ｙがドロワユニット４に装着された状態で、幅方向において、現像カートリッジ６Ｋの凹部４０３Ｋ（図２０Ａ参照）と同じ位置に位置する。
【０１４５】
８．２  ドラムカートリッジ
図２１に示すように、ドラムカートリッジ５Ｙは、ハンドル４１０Ｙを備える。
【０１４６】
ハンドル４１０Ｙは、ユーザーがドラムカートリッジ５Ｙをドロワユニット４に装着するときに、ユーザーによってつかまれる。ハンドル４１０Ｙは、ドラムフレーム２１Ｙに設けられる。ハンドル４１０Ｙは、突起４１１Ｙと、突起４１２Ｙと、突起４１３Ｙと、バー４１４Ｙとを有する。すなわち、ドラムカートリッジ５Ｙは、突起４１１Ｙを有し、突起４１１Ｙは、ハンドル４１０Ｙの一部である。
【０１４７】
突起４１１Ｙは、ドラムフレーム２１Ｙから突出する。突起４１１Ｙは、ドラムカートリッジ５Ｙがドロワユニット４に装着された状態で、幅方向において、突起４１２Ｙと突起４１３Ｙとの間に位置する。突起４１１Ｙは、幅方向において、突起４１２Ｙに対して突起４１３Ｙの近くに位置する。これにより、図２２Ａに示すように、突起４１１Ｙは、現像カートリッジ６Ｋがドラムカートリッジ５Ｋとドラムカートリッジ５Ｙとの間に装着されたときに、現像カートリッジ６Ｋの凹部４０１Ｋに嵌まる。また、図２２Ｂに示すように、突起４１１Ｙは、現像カートリッジ６Ｙがドラムカートリッジ５Ｋとドラムカートリッジ５Ｙとの間に装着されたときに、現像カートリッジ６Ｙの凹部４０１Ｙに嵌まらない。これにより、突起４１１Ｙは、現像カートリッジ６Ｙがドラムカートリッジ５Ｋとドラムカートリッジ５Ｙとの間に装着されることを防止する。すなわち、突起４１１Ｙは、現像カートリッジ６Ｙがドロワユニット４に対して不適正な位置に装着されることを防止する。なお、突起４１１Ｙは、現像カートリッジ６Ｍまたは現像カートリッジ６Ｃがドラムカートリッジ５Ｋとドラムカートリッジ５Ｙとの間に装着されることも、防止する。
【０１４８】
また、図２１に示すように、突起４１２Ｙは、ドラムフレーム２１Ｙから突出する。
【０１４９】
突起４１３Ｙは、ドラムフレーム２１Ｙから突出する。突起４１３Ｙは、軸線方向において、突起４１２Ｙに対して間隔を空ける。
【０１５０】
バー４１４Ｙは、軸線方向に延びる。バー４１４Ｙは、突起４１２Ｙと突起４１３Ｙとを接続する。突起４１１Ｙは、軸線方向において、バー４１４Ｙの途中に接続する。
【０１５１】
なお、ドラムカートリッジ５Ｍの突起４１１Ｍは、現像カートリッジ６Ｋ、６Ｍ、６Ｃがドラムカートリッジ５Ｙとドラムカートリッジ５Ｍとの間に装着されることを防止する。また、ドラムカートリッジ５Ｃの突起４１１Ｃは、現像カートリッジ６Ｋ、６Ｙ、６Ｃがドラムカートリッジ５Ｍとドラムカートリッジ５Ｃとの間に装着されることを防止する。
【０１５２】
８．３  第５実施形態の作用効果
第５実施形態によれば、図２２Ａおよび図２２Ｂに示すように、現像カートリッジ６Ｙがドロワユニット４に対して不適正な位置に装着されることを防止できる。
【０１５３】
また、第５実施形態においても、第１実施形態と同様の作用効果を得ることができる。
【０１５４】
８．４  第５実施形態の変形例
図２３に示すように、ドロワユニット４は、複数の突起４２１、４２２を有してもよい。
【０１５５】
突起４２１は、現像カートリッジ６Ｃがドラムカートリッジ５Ｃに対してドラムカートリッジ５Ｋの反対側に装着されたときに、現像カートリッジ６Ｃが有する凹部４３１（図２４参照）に嵌まる。突起４２１は、現像カートリッジ６Ｋがドラムカートリッジ５Ｃに対してドラムカートリッジ５Ｋの反対側に装着されたときに、現像カートリッジ６Ｋの凹部４０１Ｋ（図２０Ａ参照）、凹部４０２Ｋ（図２０Ａ参照）および凹部４０３Ｋ（図２０Ａ参照）のいずれにも嵌まらない。
【０１５６】
なお、突起４２２は、幅方向において、突起４２１と間隔を隔てて位置する。突起４２２は、現像カートリッジ６Ｃがドラムカートリッジ５Ｃに対してドラムカートリッジ５Ｋの反対側に装着されたときに、現像カートリッジ６Ｃが有する凹部４３２（図２４参照）に嵌まる。突起４２２は、現像カートリッジ６Ｋがドラムカートリッジ５Ｃに対してドラムカートリッジ５Ｋの反対側に装着されたときに、現像カートリッジ６Ｋの凹部４０１Ｋ（図２０Ａ参照）、凹部４０２Ｋ（図２０Ａ参照）および凹部４０３Ｋ（図２０Ａ参照）のいずれにも嵌まらない。
【０１５７】
これにより、突起４２１、４２２は、現像カートリッジ６Ｋがドラムカートリッジ５Ｃに対してドラムカートリッジ５Ｋの反対側に装着されることを防止する。また、突起４２１、４２２は、現像カートリッジ６Ｙ、６Ｍがドラムカートリッジ５Ｃに対してドラムカートリッジ５Ｋの反対側に装着されることも防止する。
【０１５８】
また、第５実施形態において、ハンドル４１０Ｙの突起４１２Ｙと突起４１３Ｙとの距離を、ハンドル４１０Ｍの突起４１２Ｍと突起４１３Ｍとの距離に対して異ならせてもよい。具体的には、ハンドル４１０Ｙの突起４１２Ｙと突起４１３Ｙとの距離を、ハンドル４１０Ｍの突起４１２Ｍと突起４１３Ｍとの距離よりも長くする。
【０１５９】
また、現像ローラ１６Ｋが延びる方向において、ハンドル４１０Ｙの突起４１１Ｙを突起４１２Ｙと突起４１３Ｙとの間でなく、突起４１２Ｙに対して突起４１３Ｙと反対側または突起４１３Ｙに対して突起４１２Ｙと反対側に設けてもよい。この場合も、突起４１１Ｙは、ドラムフレーム２１Ｙから突出する。
【符号の説明】
【０１６０】
１        画像形成装置
２        本体筐体
４        ドロワユニット
５Ｋ      ドラムカートリッジ
５Ｙ      ドラムカートリッジ
６Ｋ      現像カートリッジ
６Ｙ      現像カートリッジ
１３Ｋ    露光ヘッド
１３Ｙ    露光ヘッド
１４Ｋ    感光ドラム
１４Ｙ    感光ドラム
１６Ｋ    現像ローラ
１６Ｙ    現像ローラ
２２Ａ    第１ドラム突起
２３Ａ    第２ドラム突起
３２Ａ    現像突起
３２Ｂ    現像突起
４０      ドロワフレーム
４２Ｋ    ドラムガイド
４２Ｙ    ドラムガイド
４３Ｋ    現像ガイド
４３Ｙ    現像ガイド
４４Ｋ    第１ドラム突起ガイド
４４Ａ    第１部分
４４Ｂ    第２部分
４５Ｋ    第２ドラム突起ガイド
Ｓ３１    受け面
１００    ドロワユニット
１０１Ｋ  現像ガイド
１０２Ｋ  第１ガイド部
１０３Ｋ  第２ガイド部
１０４Ｙ  第３ガイド部
１１０Ｙ  ドラムカートリッジ
１１１Ａ  支持台
Ｗ１      幅
Ｗ２      幅
Ｗ３      幅
Ｗ４      幅
２００    ドロワユニット
２０１Ｋ  露光ヘッド
２０２Ａ  ボス
２０２Ｂ  ボス
２０３Ｋ  押圧部材
２１０Ｋ  ドラムカートリッジ
Ｓ４１    接触面
３００    ドロワユニット
３０１    第１壁
３０２    第２壁
４０１Ｋ  凹部
４０１Ｙ  凹部
４１０Ｙ  ハンドル
４１１Ｙ  突起
４２１    突起
４３１    凹部
【図１】
2019086729.tif 000003
【図２】
2019086729.tif 000004
【図３】
2019086729.tif 000005
【図４】
2019086729.tif 000006
【図５】
2019086729.tif 000007
【図６】
2019086729.tif 000008
【図７】
2019086729.tif 000009
【図８】
2019086729.tif 000010
【図９】
2019086729.tif 000011
【図１０】
2019086729.tif 000012
【図１１】
2019086729.tif 000013
【図１２】
2019086729.tif 000014
【図１３】
2019086729.tif 000015
【図１４】
2019086729.tif 000016
【図１５】
2019086729.tif 000017
【図１６】
2019086729.tif 000018
【図１７】
2019086729.tif 000019
【図１８】
2019086729.tif 000020
【図１９】
2019086729.tif 000021
【図２０】
2019086729.tif 000022
【図２１】
2019086729.tif 000023
【図２２】
2019086729.tif 000024
【図２３】
2019086729.tif 000025
【図２４】
2019086729.tif 000026